【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
コンピュータ・システムのハードウェア／ソフトウェア・インターフェース・システムのためのコンピュータ可読命令を備えるコンピュータ可読媒体であって、イメージに関連し、前記ハードウェア／ソフトウェア・インターフェース・システムは、前記ハードウェア／ソフトウェア・インターフェース・システムによって理解可能なプロパティを有する、複数の個々の情報単位（イメージ・アイテム）を操作することを特徴とするコンピュータ可読媒体。
【請求項２】
前記ハードウェア／ソフトウェア・インターフェース・システムは、少なくとも１つのイメージ・アイテムおよび少なくとも１つのイメージ・プロパティを定義するイメージ・スキーマを備えていることを特徴とする請求項１に記載のコンピュータ可読媒体。
【請求項３】
前記イメージ・スキーマ内の少なくとも１つのイメージ・アイテムは、基礎イメージ・アイテム・タイプを構成する基礎イメージ・アイテムであり、そこから前記ハードウェア／ソフトウェア・インターフェース・システムにおいて操作される他のすべてのイメージ・アイテムが派生することを特徴とする請求項２に記載のコンピュータ可読媒体。
【請求項４】
前記基礎イメージ・アイテム・タイプは、格付け、ピクセル単位のイメージの幅または高さを構成するサイズ、イメージのビット深度、色空間、色空間のバージョン、前記イメージが印刷された回数、前記イメージの注目の領域、前記イメージに関する履歴、デジタルネガ識別、同じイメージの他のバージョンへのリンクのコレクション、およびイメージのメタデータ・ライフサイクルのプロパティ・グループからの少なくとも１つのプロパティを備えることを特徴とする請求項３に記載のコンピュータ可読媒体。
【請求項５】
前記イメージ・スキーマ内の少なくとも１つのプロパティは、前記イメージの領域のプロパティであり、前記領域のプロパティは前記領域の左、上部、右および下部の座標のフィールドを備えていることを特徴とする請求項２に記載のコンピュータ可読媒体。
【請求項６】
前記イメージ・スキーマ内の少なくとも１つのプロパティは、前記イメージの注目の領域のプロパティであり、前記注目の領域のプロパティは領域のフィールドを備えることを特徴とする請求項５に記載のコンピュータ可読媒体。
【請求項７】
前記イメージの前記注目の領域のプロパティは、プリンシパルのフィールドをさらに備えることを特徴とする請求項６に記載のコンピュータ可読媒体。
【請求項８】
前記イメージの前記注目の領域のプロパティは、信頼性のフィールドをさらに備えることを特徴とする請求項６に記載のコンピュータ可読媒体。
【請求項９】
前記イメージ・アイテムはプリンシパル・イメージ・アイテムとのリレーションシップを有することを特徴とする請求項２に記載のコンピュータ可読媒体。
【請求項１０】
前記イメージ・アイテムはイベント・イメージ・アイテムとのリレーションシップを有することを特徴とする請求項２に記載のコンピュータ可読媒体。
【請求項１１】
前記イメージ・アイテムは場所・イメージ・アイテムとのリレーションシップを有することを特徴とする請求項２に記載のコンピュータ可読媒体。
【請求項１２】
前記ハードウェア／ソフトウェア・インターフェース・システムは、少なくとも１つのフォト・イメージ・アイテムおよび少なくとも１つのフォト・プロパティを定義するフォト・スキーマを備え、前記フォト・イメージ・アイテム・タイプはイメージ・アイテム・タイプの拡張であることを特徴とする請求項３に記載のコンピュータ可読媒体。
【請求項１３】
前記フォト・スキーマ内の少なくとも１つのイメージ・アイテムは、基礎イメージ・アイテム・タイプを構成する基礎イメージ・アイテムであり、そこから前記ハードウェア／ソフトウェア・インターフェース・システムにおいて操作される他のすべてのフォト・イメージ・アイテムが派生することを特徴とする請求項１２に記載のコンピュータ可読媒体。
【請求項１４】
前記基礎フォト・イメージ・アイテム・タイプは、前記フォトが撮影された日付、フォトが取得された前記日付、前記フォトの獲得セッションの一意の識別、オリエンテーション、場所、イベント、カメラのメーカー、カメラの型式、露光時間、絞り、ＩＳＯスピード、前記フォトにフラッシュが使用されたかどうかの指示、前記フォトに赤目モードが使用されたかどうかの指示、露光モード、および前記フォトの被写体の距離、のプロパティ・グループの中からの少なくとも１つのプロパティを備えることを特徴とする請求項１３に記載のコンピュータ可読媒体。
【請求項１５】
前記ハードウェア／ソフトウェア・インターフェース・システムは、少なくとも１つのフォト・イメージ・アイテムの分析プロパティ（ＡＰ）および少なくとも１つのＡＰプロパティを定義する分析プロパティ・スキーマを備え、前記フォト・イメージ・アイテム・タイプはイメージ・アイテム・タイプの拡張であることを特徴とする請求項３に記載のコンピュータ可読媒体。
【請求項１６】
前記ＡＰは、カラー・ヒストグラム、グレー・ヒストグラム、および類似のインデックスのプロパティのグループの中からの少なくとも１つのプロパティを備えることを特徴とする請求項１５に記載のコンピュータ可読媒体。
【請求項１７】
イメージに関連し、ハードウェア／ソフトウェア・インターフェース・システムによって理解可能なプロパティを有する、複数の個々の情報単位（イメージ・アイテム）を操作するためのシステムであって、少なくとも１つのイメージ・アイテムおよび少なくとも１つのイメージ・プロパティを定義するイメージ・スキーマを備え、前記イメージ・スキーマ内の前記イメージ・アイテムは、基礎イメージ・アイテム・タイプを構成する基礎イメージ・アイテムであり、そこから前記ハードウェア／ソフトウェア・インターフェース・システムにおいて操作される他のすべてのイメージ・アイテムが派生することを特徴とするシステム。
【請求項１８】
前記基礎イメージ・アイテム・タイプは、格付け、ピクセル単位のイメージの幅または高さを構成するサイズ、イメージのビット深度、色空間、色空間のバージョン、前記イメージが印刷された回数、前記イメージの注目の領域、前記イメージに関する履歴、デジタルネガ識別、同じイメージの他のバージョンへのリンクのコレクション、およびイメージのメタデータ・ライフサイクル、のプロパティ・グループの中からの少なくとも１つのプロパティを備えることを特徴とする請求項１７に記載のシステム。
【請求項１９】
前記イメージ・スキーマ内の少なくとも１つのプロパティは、前記イメージの領域のプロパティであり、前記領域のプロパティは前記領域の左、上部、右および下部の座標のフィールドを備えていることを特徴とする請求項１７に記載のシステム。
【請求項２０】
前記イメージ・スキーマ内の少なくとも１つのプロパティは、前記イメージの注目の領域のプロパティであり、前記注目の領域のプロパティは領域のフィールドを備えることを特徴とする請求項１７に記載のシステム。
【請求項２１】
前記イメージの前記注目の領域のプロパティは、プリンシパルのフィールドをさらに備えることを特徴とする請求項１７に記載のシステム。
【請求項２２】
前記イメージの前記注目の領域のプロパティは、信頼性のフィールドをさらに備えることを特徴とする請求項１７に記載のシステム。
【請求項２３】
前記イメージ・アイテムはプリンシパル・イメージ・アイテムとのリレーションシップを有することを特徴とする請求項１７に記載のシステム。
【請求項２４】
前記イメージ・アイテムはイベント・イメージ・アイテムとのリレーションシップを有することを特徴とする請求項１７に記載のシステム。
【請求項２５】
前記イメージ・アイテムは場所イメージ・アイテムとのリレーションシップを有することを特徴とする請求項１７に記載のシステム。
【請求項２６】
前記ハードウェア／ソフトウェア・インターフェース・システムは、少なくとも１つのフォト・イメージ・アイテムおよび少なくとも１つのフォト・プロパティを定義するフォト・スキーマを備え、前記フォト・イメージ・アイテム・タイプはイメージ・アイテム・タイプの拡張であることを特徴とする請求項１７に記載のシステム。
【請求項２７】
前記フォト・スキーマ内の少なくとも１つのイメージ・アイテムは、基礎イメージ・アイテム・タイプを構成する基礎イメージ・アイテムであり、そこから前記ハードウェア／ソフトウェア・インターフェース・システムにおいて操作される他のすべてのフォト・イメージ・アイテムが派生することを特徴とする請求項１７に記載のシステム。
【請求項２８】
前記基礎フォト・イメージ・アイテム・タイプは、前記フォトが撮影された日付、フォトが取得された前記日付、前記フォトの獲得セッションの一意の識別、オリエンテーション、場所、イベント、カメラのメーカー、カメラの型式、露光時間、絞り、ＩＳＯスピード、前記フォトにフラッシュが使用されたかどうかの指示、前記フォトに赤目モードが使用されたかどうかの指示、露光モード、および前記フォトの被写体の距離、のプロパティ・グループの中からの少なくとも１つのプロパティを備えることを特徴とする請求項２７に記載のシステム。
【請求項２９】
前記ハードウェア／ソフトウェア・インターフェース・システムは、少なくとも１つのフォト・イメージ・アイテムの分析プロパティ（ＡＰ）および少なくとも１つのＡＰプロパティを定義する分析プロパティ・スキーマを備え、前記フォト・イメージ・アイテム・タイプはイメージ・アイテム・タイプの拡張であることを特徴とする請求項２７に記載のシステム。
【請求項３０】
前記ＡＰは、カラー・ヒストグラム、グレー・ヒストグラム、および類似のインデックス、のプロパティ・グループの中からの少なくとも１つのプロパティを備えることを特徴とする請求項２９に記載のシステム。
【請求項３１】
イメージに関連し、コンピュータ・システムのハードウェア／ソフトウェア・インターフェース・システムによって理解可能なプロパティを有する、複数の個々の情報単位（イメージ・アイテム）を操作する前記ハードウェア／ソフトウェア・インターフェース・システムのための方法であって、
少なくとも１つのイメージ・アイテムおよび少なくとも１つのイメージ・プロパティを定義するイメージ・スキーマを確立すること、および
前記ハードウェア／ソフトウェア・インターフェース・システムにおいて操作される他のすべてのイメージ・アイテムが派生する、基礎イメージ・アイテム・タイプを構成する、基礎イメージ・アイテムとして前記イメージ・スキーマ内のイメージ・アイテムを確立すること
を備えることを特徴とする方法。
【請求項３２】
前記基礎イメージ・アイテム・タイプは、格付け、ピクセル単位のイメージの幅または高さを構成するサイズ、イメージのビット深度、色空間、色空間のバージョン、前記イメージが印刷された回数、前記イメージの注目の領域、前記イメージに関する履歴、デジタルネガ識別、同じイメージの他のバージョンへのリンクのコレクション、およびイメージのメタデータ・ライフサイクル、のプロパティ・グループの中から少なくとも１つのプロパティを備えることを特徴とする請求項３１に記載の方法。
【請求項３３】
前記イメージ・スキーマ内の少なくとも１つのプロパティは、前記イメージの領域のプロパティであり、前記領域のプロパティは前記領域の左、上部、右および下部の座標のフィールドを備えていることを特徴とする請求項３１に記載の方法。
【請求項３４】
前記イメージ・スキーマ内の少なくとも１つのプロパティは、前記イメージの注目の領域のプロパティであり、前記注目の領域のプロパティは領域のフィールド、プリンシパルのフィールド、または信頼性のフィールドを備えることを特徴とする請求項３３に記載の方法。
【請求項３５】
前記イメージ・アイテムはプリンシパル・イメージ・アイテム、イベント・イメージ・アイテム、場所イメージ・アイテムとのリレーションシップを有することを特徴とする請求項３１に記載の方法。
【請求項３６】
写真のデジタル・イメージ・アイテム（Photo）が撮影された地理的場所を表すために、前記Ｐｈｏｔｏと前記地理的場所に対応する場所イメージ・アイテム（Location）との間のリレーションシップ（Location Relationship）を確立することをさらに備え、前記Ｐｈｏｔｏは前記Ｌｏｃａｔｉｏｎに基づいてクエリされることが可能になることを特徴とする請求項３１に記載の方法。
【請求項３７】
写真のデジタル・イメージ・アイテム（Photo）が撮影された地理的場所を表すために、前記地理的場所に対応する前記Ｌｏｃａｔｉｏｎ  Ｒｅｌａｔｉｏｎｓｈｉｐの場所プロパティ（LocProp）を設定することをさらに備えることを特徴とする請求項３６に記載の方法。
【請求項３８】
写真のデジタル・イメージ・アイテム（Photo）内の少なくとも１人の人物を表すために、前記Ｐｈｏｔｏと前記人物に関するイメージ・アイテム（Contact）との間のリレーションシップを確立することをさらに備え、前記Ｐｈｏｔｏは前記Ｃｏｎｔａｃｔに基づいてクエリされることが可能になることを特徴とする請求項３１に記載の方法。
【請求項３９】
写真のデジタル・イメージ・アイテム（Photo）内に表された少なくとも１つのイベントを表すために、前記Ｐｈｏｔｏと前記イベントに関するイメージ・アイテム（Event）との間のリレーションシップを確立することをさらに備え、前記Ｐｈｏｔｏは、前記Ｅｖｅｎｔに基づいてクエリされることが可能になることを特徴とする請求項３１に記載の方法。
【請求項４０】
第１のデジタル・イメージ・アイテム（Image）と、（ａ）前記第１のＩｍａｇｅが派生した親Ｉｍａｇｅまたは（ｂ）前記第１のＩｍａｇｅから派生した子Ｉｍａｇｅのいずれかである第２のＩｍａｇｅとのリレーションシップを確立することをさらに備えることを特徴とする請求項３１に記載の方法。